(57)【要約】本発明は、蓋(３)で閉鎖可能な上向きの開口部と、容器壁部(５)の上端から外方下向きに垂下した外周容器縁部(２)とを備え、この容器縁部には蓋(３)が着脱可能に装着されると共に容器壁部(５)上の開始位置から離れる方向への枢動による開蓋操作によって蓋(３)の少なくとも一部分を持ち上げるように少なくとも一つの舌状要素(８)が装着されている特にバケツ状の容器(１)に関する。本発明によれば、舌状要素（８）はその少なくとも一部分で容器縁部（２）に背後から係合し、舌状要素の前記一部分は開蓋操作により容器縁部（２）の前面で外方に移動可能である一方、舌状要素（８）を開始位置へと戻す方向に枢動させても再び容器縁部（２）の背後へは移動不能とされている。
2005527433.tif 000002
【特許請求の範囲】
【請求項１】
蓋で閉鎖可能な上向きの開口部と、容器壁部の上端から外方下向きに垂下した外周容器縁部とを備え、この容器縁部には蓋が着脱可能に装着されると共に容器壁部上の開始位置から離れる方向への枢動による開蓋操作によって蓋の少なくとも一部分を持ち上げるように少なくとも一つの舌状要素が装着されている特にバケツ状の容器において、舌状要素（８）がその少なくとも一部分（１３）で容器縁部（２）に背後から係合し、舌状要素の前記一部分（１３）が前記開蓋操作により容器縁部（２）の前面で外方に移動可能である一方、舌状要素（８）を前記開始位置へと戻す方向に枢動させても再び容器縁部（２）の背後へは移動不能とされていることを特徴とする蓋付き容器。
【請求項２】
舌状要素の前記一部分（１３）が舌状要素（８）の一体部分として構成されていることを特徴とする請求項１に記載の容器。
【請求項３】
舌状要素の前記一部分（１３）が舌状要素（８）の開蓋操作時の枢動により変形又は折り取り可能に構成されていることを特徴とする請求項１又は２に記載の容器。
【請求項４】
容器縁部（２）が舌状要素（８）の領域内で該舌状要素（８）の凹部（１０）に係合する下向きのエッジ突起（１１）を形成していることを特徴とする請求項１〜３のいずれか１項に記載の容器。
【請求項５】
エッジ突起（１１）が前記舌状要素の一部分（１３）により背後から係合される舌部（１２）を備えていることを特徴とする請求項４に記載の容器。
【請求項６】
舌部（１２）に背後から係合する舌状要素（８）の領域中に予め定められた形状の破断線が設けられていることを特徴とする請求項４又は５に記載の容器。
【請求項７】
容器壁部（５）の方を向いた舌状要素（８）の内側面上で舌状要素の一部分（１３）として凹部（１０）と部分的に重なる複数のウェブがエッジ突起（１１）と容器壁部（５）との間に設けられていることを特徴とする請求項４〜６のいずれか１項に記載の容器。
【請求項８】
舌状要素（８）が破断可能な連結リンクによってエッジ突起（１１）に結合されていることを特徴とする請求項４〜６のいずれか１項に記載の容器。
【請求項９】
舌状要素が破断可能な連結リンク（２８）によって容器縁部に結合されていることを特徴とする請求項１〜８のいずれか１項に記載の容器。
【請求項１０】
舌状要素の一部分（１３）が舌状要素（８）の側方両端部にそれぞれ設けられ、これら一部分（１３）が舌状要素（８）に対面する容器縁部（２）の側方両端部にそれぞれ背後から係合していることを特徴とする請求項１〜９のいずれか１項に記載の容器。
【請求項１１】
容器壁部（５）に対面した側の舌状要素（８）の内側面と容器壁部（５）との間に、容器壁部（５）へ向かう舌状要素の枢動を規制するリブ（２１）が設けられていることを特徴とする請求項１〜１０の１項に記載の容器。
【請求項１２】
舌状要素（８）の下向きの縁部が容器壁部（５）から下方に垂下した容器縁部（２）の下端部よりも内方へ後退していることを特徴とする請求項１〜１１のいずれか１項に記載の容器。
【請求項１３】
舌状要素（８）が開蓋操作用の少なくとも一つの操作穴（２７）を有することを特徴とする請求項１〜１２のいうれか１項に記載の容器。
【請求項１４】
容器壁部（５）に対面する側とは反対側の舌状要素（８）の外側面が粗面に形成されていることを特徴とする請求項１〜１３のいずれか１項に記載の容器。
【請求項１５】
舌状要素（８）上の少なくとも一部分（１３）に、舌状要素（８）が開始位置にある状態で容器縁部（２）の一部によって少なくとも部分的に覆われるマークが設けられていることを特徴とする請求項１〜１４のいずれか１項に記載の容器。
【発明の詳細な説明】
【技術分野】
【０００１】
本発明は、蓋で閉鎖可能な上向きの開口部と、容器壁部の上端から外方下向きに垂下した外周容器縁部とを備え、この容器縁部には蓋が着脱可能に装着されると共に容器壁部上の開始位置から離れる方向への枢動による開蓋操作によって蓋の少なくとも一部分を持ち上げるように少なくとも一つの舌状要素が装着されている特にバケツ状の容器に関するものである。
【背景技術】
【０００２】
この種の容器は弾性プラスチック材料から射出成形で製造可能であり、安価に製造できて軽量であることから幅広い用途に供されている。これらの容器は、容器自体に起因する重さや形状に関連した制限をさほど受けずに液状又は顆粒状の注入可能物を手軽な梱包状態で貯蔵・保管し、かつ輸送するのに最適である。更にまた、容器が蓋で再密閉できるため、容器の内容物を１回の使用で使い尽くさなくてもよく、以って内容物は容器を１回又は複数回開蓋した後も依然として使用できることになる。
【０００３】
しかしながら、従来の蓋付き容器は、この本来の非常に好ましい特徴自体に起因して、既に或る何らかの時点で開封操作が行なわれているか否かを使用者又は購買者に示すための指標を容器に設ける必要があり、換言すれば、容器が無傷であること、即ち本来の状態にあることが好ましくは一目瞭然になるべきであるという欠点を有している。
【０００４】
一般的に容器から蓋を外すには蓋の一部分を持ち上げることによって簡単に行なうことができ、その目的のためには、例えば特許文献１で知られているような舌状要素などの助けを利用する。
【特許文献１】米国特許第３７５３５１２号明細書
【０００５】
冒頭に記載した種類の容器は例えば特許文献２からも公知であり、そこに述べられている容器では、開始位置から離すように枢動させることによって蓋を持ち上げる舌状要素が容器縁部に結合されている。この場合、締結フランジ両端における少なくとも一方の表面縁部は、容易に剥離可能な薄肉のプラスチックウェブ又はプラスチックフィルムを介して舌状要素の対応する縁部に被着させる必要がある。この種のいたずら防止シールは容易に剥離可能であり、シールが偶発的に除去されると実際には開封されなかったのに開封済みの表示がなされてしまうこともありうるため、不都合である。加えて、開封済みの意図した表示もまた必ずしも明確ではない。例えば、蓋が一旦持ち上げられた後に再び容器上に置かれ、且つ舌状要素も自身の開始位置に戻ると、縁部の少なくとも一方の端部に依然として残っているシールにより容器がまだ開封されていないことが示唆される可能性が高いのである。
【特許文献２】欧州特許第０５６５９６７号明細書
【０００６】
特許文献３に開示されている容器では、容器に結合した舌状要素が同様に蓋を持ち上げる役割を果たしている。舌状要素が開始位置にあるときには、舌状要素を開始位置から離す方向に移動して容器を開封すると折り取られるか又は変形する１つ以上のウェブ状要素が舌状要素の上に係合することなく重なっている。しかしながら、これに関連して、その後の再密閉後に舌状要素を再び開始位置に戻すと、１つ以上のウェブ状要素も同様に再び自身の原位置、即ち舌状要素の上に載置された状態になることがあり、以って容器の開封済みの表示が確実ではないことになる。同時に、舌状要素の上に重なるウェブ状要素もまた、例えば輸送時に破損又は剥離される可能性があり、このような場合も容器の開封が実際には行なわれていないのに表示されてしまう恐れがある。
【特許文献３】欧州特許出願公開第１０５２１８３号明細書
【発明の開示】
【発明が解決しようとする課題】
【０００７】
従って、本発明の目的は、容器の上に配置された蓋を持ち上げるための構造、特に容易かつ安価に製造可能であるとともに、容器が既に開封されたことを確実に表示することができる構造を備えた蓋付き容器を提供することにある。
【課題を解決するための手段】
【０００８】
本発明によれば、前述の課題は、舌状要素をその少なくとも一部分で容器縁部に背後から係合させ、この舌状要素の一部分を枢動操作により容器縁部の前面で外方に移動可能とする一方、舌状要素を再び開始位置へと戻す方向に枢動させても再び容器縁部の背後へは移動不能とすることによって達成される。
【０００９】
本発明によれば、舌状要素の一部分が係合部となって当初より容器縁部に背後から係合することより、舌状要素のいかなる部分も容器から不都合に突出することはなく、また変形や剥離又は折り取りが可能に構成されたいかなる部分も、意図した第１回目の開蓋操作以前に破損を受ける危険にさらされることはない。蓋を持ち上げるために行なわれる開蓋操作の枢動時において、容器縁部に背後から係合する舌状要素の一部分は容器縁部の前面において外方に移動可能である。これは、以前に容器縁部の一部で覆われていた舌状要素の一部分がおもむろに利用者の目に見えるようになるという点で、容器が何らかの時点で既に開封されたか否かを決定的に明確にする視覚表示となる。この場合、舌状要素の一部分は、舌状要素を開始位置へと復帰するように枢動させることが不可能となるように、即ち一旦容器を開封した後に蓋を再び元の位置に戻すことによって舌状要素の一部分が再び容器縁部の背後に移動されるような状況がもたらされないように構成される。つまり、舌状要素の一部分は開蓋操作の枢動によって容器縁部の上に乗り上げるようになり、復帰方向への枢動に機械的に対抗するようになる。この場合、既に舌状要素が開封操作に使用されたことを示す付加的な表示が達成されることになり、舌状要素自体がもはや完全に自身の開始位置に戻ることができず、容器の壁部からある一定の距離をおいて位置することになる。このことは、蓋による容器の再密閉が当然ながら依然として可能であるという事実に影響を及ぼすものではない。最終的に、このような舌状要素の一部分の構造は、以上のような伝えるべき情報を損なうことなく或る程度の範囲で舌状要素の偶発的な移動を許容するものであるので、舌状要素は事故による破損に対しても保護されることになる。
【００１０】
本発明の好適な実施形態において、舌状要素の一部分からなる係合部は舌状要素の一体部分として構成される。その結果、舌状要素とその一部分の製作が容易となり、追加の別金型又は後の二次成形作業を行なう必要がなくなる。同様にして舌状要素は容器縁部の凹部に収容され、その径方向の延在寸法は容器縁部の残りの部分の外径とほぼ等しくされる。形状に関してはいかなる制約も受けるものではないが、舌状要素は正面から見て略矩形又は略台形状の外形とするのが殆どである。
【００１１】
舌状要素の一部分は、好ましくは舌状要素の枢動操作に伴って変形又は剥離される形態とする。このようにして、舌状要素の一部分は開蓋操作時の枢動中に容器の比較的剛性の縁部を越えて外方に移動可能である。即ち、開蓋操作以前には容器縁部と容器壁部との間に位置していた舌状要素の一部分は開蓋操作の枢動で以前には該一部分を覆っていた容器縁部の外面上に乗り上げ、従って特に蓋を再び元の位置に被せたときに舌状要素を復帰方向に枢動しようとしても、舌状要素の一部分が容器縁部と機械的に干渉して開始位置へ向かおうとする舌状要素の復帰方向への枢動が阻止され、舌状要素の完全な復帰ができないようになっている。この結果、容器縁部上に位置したままの舌状要素の一部分及び舌状要素自体の位置との双方が容器の開封済みを示す表示として依然として目視可能である。
【００１２】
本発明による容器の好適な実施形態において、容器縁部は舌状要素の領域内において下向きのエッジ突起を形成しており、このエッジ突起が舌状要素の凹部に係合するようになっている。この場合、本質的に無作為の輪郭形状の下向きエッジ突起は舌状要素の凹部に適合する形状であるが、エッジ突起と舌状要素との間には隙間が形成されるようにする。その結果、蝶番動作を果たすことになる枢動を行わせると舌状要素はエッジ突起から離れる方向に枢動でき、それによってエッジ突起が凹部から係合を解除される。この場合、エッジ突起は好ましくは舌状要素の一部分によって背後から係合される舌部を備えている。この舌部は、湾曲状に前方へ突出した構造とすることが好ましい。その結果、凹部の領域内に配置された舌状要素の一部分の上にエッジ突起の舌部が重なり、以って舌部自体は舌状要素の凹部に係合することはない。舌状要素の枢動によって舌状要素の一部分が容器壁部の方を向いた舌部の側面に作用し、これによって舌状要素の一部分を容器壁部の方へと変形させる。舌状要素の残りの部分は舌状要素の一部分を引き込んで舌部を越えさせ、以って舌状要素の一部分が容器壁部とは反対側の方向を向いた舌部の側面に移動することになる。この時点で舌部の長さと形状とにより舌状要素の一部分が反対方向へ動くこと、即ち舌部の背後に戻ることが防止される。
【００１３】
舌状要素によってもたらされる蓋の持上げを容易にするために、本発明の更に好適な別の実施形態においては、舌部に背後から係合する舌状要素の領域中に予め定められた形状の破断線が設けられている。舌状要素の一部分がエッジ突起又は舌部に作用すると、舌状要素の一部分の材料が部分的に折り取られ、以ってより小さい力の印加で枢動が行なえることになる。この実施形態においても、エッジ突起又は舌部の対応する構造によって舌状要素の一部分は以前に背後から係合していた縁部の背後に再び移動することは決してできない。
【００１４】
本発明の有利な実施形態においては、容器壁部に対面する側の舌状要素の内側面上で舌状要素の一部分として凹部に部分的に重なる複数のウェブがエッジ突起と容器壁部との間に設けられている。これらのウェブは、例えば梁状の構成とされると共に凹部の縁部の一箇所以上で舌状要素に結合されている。舌状要素の枢動時には、これらのウェブは容器壁部の方を向いたエッジ突起の内側面に作用すると共に、最初に容器壁部の方へと折り返された後には前方に移動されてエッジ突起を越え、更にエッジ突起と舌状要素との間の隙間を通過する。舌状要素を復帰方向に枢動させても、ウェブはもはや復帰方向には通過することができず、エッジ突起の外側に乗り上げたままとなる。その結果、舌状要素もまた自身の原位置に戻ることができなくなる。
【００１５】
更に、舌状要素を偶発的な操作から保護するために、舌状要素を破断可能な連結リンクによってエッジ突起に結合しておくことが有利である。この連結リンクは、舌状要素とエッジ突起との間の隙間を或る幾つかの点で橋絡すると共に、容器の残りの部分に対する舌状要素の移動を防止する。この連結リンクは、舌状要素の第１回目の開封操作時において蓋を持ち上げる過程で容易に分離可能である。更に別の構成として、舌状要素を更に例えば同様の別の破断可能な連結リンクによって容器縁部に結合し、舌状要素を偶発的な操作に対して付加的に保護することも可能である。
【００１６】
本発明による容器の更に別の好適な実施形態においては、舌状要素の一部分が舌状要素の側方両端部にそれぞれ設けられ、これらが舌状要素に対面する容器縁部の側方両端部にそれぞれ背後から係合する。これらの舌状要素の各一部分は、最初は同様に舌状要素の側方両端部に対抗する容器縁部に各個別の点において背後から係合するビーム状ウェブの形態として構成できる。但し、舌状要素の各一部分の更に別の実施形態として、例えば舌状要素の各一部分が当初は翼状又はルーバ状の態様で容器壁部に対して垂直に延在し、その後は角度をなして舌状要素の高さの一部又は全部に亘って容器縁部に背後から係合する構成も可能である。この場合、ルーバ状の形態をとる舌状要素の各一部分の枢動時における動作モードは原則的にウェブの動作モードと同じである。このことから、容器のエッジ突起又は側方端部に背後から係合する舌状要素の各一部分については数多くの可能な変形態様が考えられることも明らかである。
【００１７】
更に、容器壁部の方を向いた舌状要素の側面と容器壁部との間にリブを設け、容器壁部の方へ向かう舌状要素の枢動を阻止すると有利である。これにより、更に舌状要素を復帰方向に枢動させようとする際に舌状要素を無理やりに原位置に戻そうとするあらゆる試みは確実に不成功となる。また舌状要素はこれらのリブにより更に補剛され、且つ安定化される。
【００１８】
輸送時における更なる安全性を提供するために、本発明の更に別の実施形態として、舌状要素の下向きの縁部を容器壁部から下方に垂下した容器縁部の下端部に対して後退させることが有利である。これは、輸送時に容器の傾動及び歪みが起こりうるという事実に鑑みて、この対策により舌状要素へのこれらの影響を排除することによって舌状要素の偶発的な誤動作とそれに付随する蓋の持ち上げを防止するものである。
【００１９】
本発明による容器における舌状要素に枢動操作のための少なくとも１つの操作穴を設けることは好ましいことである。これにより、舌状要素を使用する操作者は舌状要素の枢動を手又は指で行なうための穴を与えられるとともに、その結果として容易かつ確実に枢動を行なうことができるため、舌状要素の意図的な使用が容易になる。
【００２０】
更にまた、本発明の別の実施形態として、容器壁部に対面する面とは反対側の舌状要素の外側面を粗面に形成しておくことも有利である。これにより、舌状要素を操作する際に舌状要素に触れることになる操作者の手が滑ることが防止され、以って例えばリブを備えた粗面が容器の安全な取扱いに寄与することになる。
【００２１】
更に別の有利な実施形態として、舌状要素上に位置する該舌状要素の一部分の少なくとも一つに、舌状要素が開始位置にある状態で容器縁部の一部によって少なくとも部分的に覆われるマークを設けておくことが好ましい。このマークは、文字と色彩マークとの両方で構成しても良く、例えば舌状要素の一部分を容器と異なる色に構成して、開封後に完全に見えるような位置に来る部分を、より一層観察者の注目を引く部分としておくことが考えられる。但し、本発明で言うマークはこの種のマーキングに限定されるものではなく、これ以外の異なる種類のマーキングであってもよい。
【発明を実施するための最良の形態】
【００２２】
本発明を幾つかの実施例に基づいて詳述すれば以下の通りである。
【００２３】
図１は、熱可塑性樹脂材料製の容器１の外周容器縁部２の要部を蓋３の無い状態で示す正面図である。容器縁部２は、図には見えていない容器縁部上端の容器開口部から外向きに拡がるフランジ４の外周縁を始点として容器壁部５にほぼ沿って下方に延在している。容器縁部２の二つの側方端部６の間は下方に開いた開口７となっており、この開口の内側には、容器縁部に連結された舌状要素８が開始位置において両側の側方端部からある間隔をあけて係合している。図１に現れているリブ９の設けられた外側面をもつ舌状要素８の輪郭形状は下方に向かって狭くなるテーパー形状であるが、原則的にはいかなる所望の形状であってもよい。両側の側方端部６は舌状要素８の下縁部と同じ高さで終端している。この場合、リブ９は滑り止めと舌状要素８の補剛との両方の理由で設けてよい。
【００２４】
舌状要素８の上縁部の略中央部分には凹部１０が設けられ、この凹部は、下方に向かってややテーパー形状で容器縁部２から突出している下向きのエッジ突起１１と係合する。エッジ突起１１には舌部１２が設けられており、この舌部は、エッジ突起から下方へ且つ容器壁部から離れる方向へ角度をなして垂下し、舌状要素の一部分１３の上に重なってエッジ突起と向かい合うように舌状要素８上に位置している。図１の観察者の方へ向かって舌状要素８を枢動操作することにより、舌状要素の一部分１３は舌部１２を乗り越えて移動する。この時点で、以前は舌部１２によって覆われていた舌状要素の一部分１３が目視可能になるが、その裏側はこの時点で舌部１２の外側に位置して見えなくなり、かくして舌状要素の一部分１３は舌部１２の形状と配置位置によって機械的に干渉され、開始位置へ向かう復帰方向に舌部を越えて移動させることはできなくなる。
【００２５】
図２と図３は、蓋３が正しく装着されている状態で図１のＩＩ−ＩＩ線矢視からみた容器縁部領域１の断面図を示している。図２において舌状要素８は当初の開始位置にある。蓋３は、フランジ４とスナップ嵌合機構１４を介して容器縁部に着脱可能に装着されていることが同様に理解される。この場合、蓋の内側周縁部１５はフランジ４の領域で容器１の内壁面１６に密着する様式で装着される。蓋の外側周縁部１７は内側に突出する突起１８を有し、容器縁部２の突出ノーズ１９と共にスナップ嵌合機構１４を形成している。外側周縁部１７の内面側は、容器縁部２のエッジ突起１１及び舌状要素８によって支持されている。更に、容器壁部５の方へと向かう舌状要素８の枢動を阻止することを目的として舌状要素８の内面側に補強リブ２１が一体成形されている。
【００２６】
図３は、容器縁部２に連結されている舌状要素８を示しており、この状態は矢印方向への枢動操作を行った後の状態である。開蓋操作による枢動の間に、舌状要素８の上部に位置するその一部分１３は、舌部１２並びにエッジ突起１１に作用して先ず最初に舌部を外向き上方へ押圧する。この過程においてスナップ嵌合機構１４の係合が解除され、蓋３の外側周縁部１７の突起１８が容器縁部２のノーズ１９を乗り越えて移動すると共に、このノーズの上側に乗り上げる。同時に、蓋３の内側周縁部１５は依然としてシールを維持しながら容器の内壁面上で上方にスライドする。その後、蓋３が容器１から容易に外される状態になる。舌状要素の開蓋操作による枢動を継続すると、舌状要素の一部分１３は最終的に舌部１２を乗り越えて移動され、以って容器壁部２側に向いている舌状要素の一部分１３及び舌状要素８の内側面が舌部１２の外側に位置することになる。舌状要素８の枢動により、図２において以前は隠されていた側方端部６は自由に目視可能になる。このように、図３から明らかなようにエッジ突起１１及び舌部１２の形状と配置位置により舌状要素８が開始位置へと復帰枢動することが防止され、この最初の開蓋操作によって舌状要素の一部分１３及び舌状要素８の内側面が舌部１２の外側に乗り上げることになる。
【００２７】
図４に斜視図で示した別の実施形態は、図１に示したものと原理的に同様の容器縁部２の要部を蓋３の無い状態で示している。ここで容器縁部２は、舌状要素８の両側の側方端部とエッジ突起１１の領域内に軸方向の切れ目状の断続部２４を備えており、これらの断続部は、舌状要素８の両側の側方端部６と凹部１０との間で軸方向に開口部７へと通じている。断続部２４は、舌状要素８がエッジ突起１１と側方端部６とに対して独立して枢動できるようにしている。
【００２８】
この場合も、開口部７に収容されている舌状要素８は自身の開始位置にある状態で示されている。但し、この場合の舌状要素８の両側端は垂直方向に配置された側方端部６に対して平行に延在し、従って舌状要素８は下方へ向けてテーパー形状とはなっていない。この場合もまたエッジ突起１１は舌状要素の上縁部の略中央部に配置された凹部１０内に突出している。両側端に半円形端部２３を有する矩形帯状要素２２が舌状要素８の方を向いたエッジ突起１１の端部に一体成形され、この帯状要素２２及び半円形端部２３の外縁は凹部１０の内縁と或る間隔をあけて向かい合っている。帯状要素２２と半円形端部２３とには安定化の目的で補剛ウェブ２５が容器壁部５とは反対側を向いている外側面に設けられている。図４で裏面側に相当する舌状要素８の内側面側では、舌状要素８と容器壁部５との間において舌状要素の一部分１３がウェブの形態で一体成形されており、凹部１０を部分的に覆って帯状要素２２と半円形端部２３とに背後から係合している。同様に、側方端部６に対面する舌状要素の両側縁においては、舌状要素にその一部分１３として設けられた長手ウェブが各側方端部６に背後から係合している。開蓋操作の枢動時において、舌状要素の一部分１３は容器壁部の方を向いた剛性の帯状要素／半円形端部又は剛性の側方端部の内側面部に作用するとともに、枢動と同時に弾性変形して前記剛性部分を乗り越えて外面側へ移動する。枢動された舌状要素の一部分が一旦この乗り越えの障害物を通過し終えると、材料自体の特性によって弾性変形が復帰し、舌状要素の一部分は本質的に再び舌状要素８の以前の形状に戻る。このようにして、舌状要素が元の形状に復帰すると、舌状要素の一部分は、先に開蓋操作で乗り越えた容器縁部の舌部の外面側に位置することになる。操作性を高めるために、本実施例においても舌状要素８の外面にリブ９が設けられている。
【００２９】
図５は、更に別の実施形態における容器縁部を下から見た斜視図である。この図において、最初は一対の側方端部６を有する容器周縁部２が見えている。両側の側方端部６の間に位置する開口７は断続部２４に通じている。両側の側方端部６の間には舌状要素８が配置され、その下縁とリブ９が図に現れている。舌状要素８の両側端部には、それぞれその一部分１３として翼状又はルーバ状部分が一体成形されている。これらの部分１３は、先ず舌状要素８から容器壁部５の方へ向かって垂直に、次いで開口の側方端部の方へ向かって角度をなして突き出しており、これにより側方端部６に背後から係合するようになっている。この場合、舌状要素の一部分１３は側方端部６に対面する舌状要素の側端部の長さに亘って舌状要素８の下縁から垂直に延在している。
【００３０】
舌状要素８の更に中央寄りには補剛リブ２１が舌状要素の内側面上で舌状要素の一部分１３と並んで設けられており、舌状要素の形状安定性を高めている。舌状要素８の更に中央寄り位置には別の一部分１３が設けられており、これも開蓋操作の枢動でエッジ突起１１（図示せず）を乗り越えて移動できるように構成されている。この舌状要素の一部分１３もまた容器壁部の方へ垂直に向いた部分と角度をなす部分とを呈しているが、この角度をなす部分は、この場合は側方端部と反対側を向いている。これらの舌状要素の一部分１３の間には、容器壁部５上に配置されて容器壁部から直角に突出する三つのドーム２６が位置している。容器縁部２の内側面は補強と補剛のために設けられたこれらドーム２６の間に延在し、一方でエッジ突起１１（図示せず）は容器縁部の外面側に配置される。従って、この実施形態における舌状要素の各一部分１３は、この場合も枢動時においてエッジ突起と側方端部との両方を乗り越えて移動する。この場合、容器壁部５に対して直角な部分と容器壁部に対して角度をなす部分とを有する舌状要素の一部分１３の構成は、舌状要素８をその開始位置へと戻す方向に移動させようとするあらゆる試みに対して弾性的に対抗するために特に好ましい構成であると言える。この移動時において舌状要素の一部分１３は自身が以前に背後から係合していた縁部の外面側に乗り上げることになり、その結果、舌状要素は容器縁部２の残りの部分に対して角度をなして突出することになる。
【００３１】
図６と図７にそれぞれ示す更に別の実施形態による舌状要素８は、舌状要素の機能的原理は図１に示されたものに本質的に対応するが、容器縁部２の方を向いた舌状要素の端部そのものは容器縁部２内に更に垂下しており、以って一般により大きいエッジ突起１１が得られることになる。図６の場合には容器縁部２まで上向にテーパー状とされた舌状要素８は自身の下縁部において利用者が指を挿入して枢動操作を行なうことができるように複数の切欠状の操作穴２７を有している。更に、破線で示された補強リブ２１が容器壁部の方を向いた舌状要素の内面側に一体成形されている。また、容器壁部５の方を向いたエッジ突起１１の内面側で容器壁部に一体成形されたドーム２６も破線で示されている。加えて、図６の実施形態におけるエッジ突起１１は、接続ウェブの形態をとる破断可能な連結部２８によって舌状要素８に結合されている。
【００３２】
図７においては、関連動作する舌状要素８を収容した開口７が容器縁部２内に配置されており、以ってこの開口７は下方に開口しておらず、また側方端部６によって境界を定められてもいない。舌状要素８の最大面積部分は、操作者の複数本の手指を同時に挿入して舌状要素の枢動操作を行なうことができる大きさの単一の操作穴２７によって占められている。
【００３３】
最後に、図８及び図９は、更に別の実施形態による舌状要素の２つの異なる位置、即ち舌状要素８の開始位置と枢動位置とを示している。この場合、容器壁部５と舌状要素８との間に配置されたドーム２６の構成は図６の実施形態に対応する。舌状要素８の中央部に配置された舌状要素の一部分１３は、舌状要素８の縁部に向かい合うほぼ縦向きの自由側方端部を形成しており、これら側方端部は破断可能な連結部２９によって舌状要素８の縁部に連結されている。この場合、舌状要素の中央部の一部分１３は当初の状態において舌部１２によって覆われていると共に、操作穴２７の方を向いた自身の端部においてより薄い材料部分３０を介して舌状要素８に枢動可能な形態で連結されている。更に、側方端部６に対面する舌状要素８の各端部にも、図８において当初は側方端部６に背後から係合する別の舌状要素の一部分１３が配置されている。操作穴２７内に指を入れて、舌状要素８を容器外側へ向かって枢動させると、この枢動に伴って連結部２９が破断されると共に舌状要素８の中央部に位置する部分１３と側方端部６に背後から係合していた部分１３とのいずれもが容器外側に移動する。この枢動の間に、中央部の舌状要素部分は先ず舌部１２に背後から接触することになり、次いで連結部２９が破断されたら容器壁部５へ向かって枢動され、この場合、より薄い材料部分３０が枢動軸の役割を果たす。枢動操作及びそれに伴う蓋３（図示せず）の持ち上げの後には、結果的に図９に示す状態になる。この図から、より薄い材料部分３０を軸として枢動する舌状要素の一部分１３が舌部１２を乗り越えて移動し、破断した連結部２９の残留物が舌状要素の一部分１３自体又は舌状要素８のいずれか又は両方の上に残る一方で、側方端部に位置する各舌状要素の一部分は、開口７の側方端部を乗り越えて移動することが判る。舌状要素８の完全な枢動復帰は、中央部の舌状要素の一部分１３が舌部１２の上に乗り上げた状態となり、しかも両側の側方端部の舌状要素の一部分１３も側方端部６の外面側に移動した状態となるので、舌状要素８が自身の開始位置からある一定の角度をなして遠ざかることによって防がれることになる。
【図面の簡単な説明】
【００３４】
【図１】本発明の第１実施例による容器の縁部における舌状要素を示す正面図である。
【図２】蓋が被さった状態で舌状要素が開始位置にある図１の容器のＩＩ−ＩＩ線矢視断面図である。
【図３】蓋が被さった状態で舌状要素が枢動後の位置にある図１の容器のＩＩ−ＩＩ線矢視断面図である。
【図４】容器縁部、舌状要素及びエッジ突起を有し、複数のウェブが舌状要素の一部分として容器の横方向縁部に係合している別の実施例の容器の要部斜視図である。
【図５】エッジ突起に背後から係合するウェブと、横方向縁部に背後から係合する舌状要素のルーバ状部分とを有する更に別の実施例の縁部を下から見た要部斜視図である。
【図６】操作穴を有する舌状要素を示す別の実施例の要部正面図である。
【図７】操作穴を有する舌状要素を示す更に別の実施例の要部正面図である。
【図８】舌状要素が開始位置にある更に別の実施例の要部正面図である。
【図９】舌状要素が枢動後の位置にある図８の実施例の要部正面図である。
【符号の説明】
【００３５】
１  容器
２  容器縁部
３  蓋
４  フランジ
５  容器壁部
６  側方端部
７  開口部
８  舌状要素
９  リブ
１０  凹部
１１  エッジ突起
１２  舌部
１３  舌状要素の一部分
１４  スナップ嵌合機構
１５  蓋の内側周縁部
１６  内壁面
１７  蓋の外側周縁部
１８  突起
１９  ノーズ
２１  補強リブ
２２  帯状要素
２３  半円形端部
２４  断続部
２５  補剛ウェブ
２６  ドーム
２７  操作穴
２８  破断可能な連結部
２９  破断可能な連結部
３０  より薄い材料部分
【図１】
2005527433.tif 000003
【図２】
2005527433.tif 000004
【図３】
2005527433.tif 000005
【図４】
2005527433.tif 000006
【図５】
2005527433.tif 000007
【図６】
2005527433.tif 000008
【図７】
2005527433.tif 000009
【図８】
2005527433.tif 000010
【図９】
2005527433.tif 000011
【国際調査報告】
2005527433.tif 000012
2005527433.tif 000013
2005527433.tif 000014
2005527433.tif 000015